(57)【特許請求の範囲】
【請求項１】
複数の画像情報を予め記憶した記憶手段と、
前記記憶手段に記憶されている前記複数の画像情報により各々示される複数の画像を予め定められた順序で連続的に表示可能な表示手段と、
前記表示手段により前記複数の画像が前記予め定められた順序で連続的に表示されている状態で該連続的な表示を停止するための停止指示及び予め定められた指示を受け付ける受付手段と、
前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段と、
を備えた画像表示装置。
【請求項２】
複数の画像情報を予め記憶した記憶手段と、
前記記憶手段に記憶されている前記複数の画像情報により各々示される複数の画像を予め定められた順序で連続的に表示可能な表示手段と、
前記表示手段により前記複数の画像が前記予め定められた順序で連続的に表示されている状態で該連続的な表示を停止するための停止指示及び予め定められた指示を受け付ける受付手段と、
前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像以降に連続する予め定められた数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段と、
を備えた画像表示装置。
【請求項３】
複数の画像情報を予め記憶した記憶手段と、
前記記憶手段に記憶されている前記複数の画像情報により各々示される複数の画像を予め定められた順序で連続的に表示可能な表示手段と、
前記表示手段により前記複数の画像が前記予め定められた順序で連続的に表示されている状態で該連続的な表示を停止するための停止指示及び予め定められた指示を受け付ける受付手段と、
前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた第２の数の画像及び表示順序が前記基準とする画像以降に連続する予め定められた第３の数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段と、
を備えた画像表示装置。
【請求項４】
前記制御手段は、前記予め定められた範囲の画像をラスタ状に一覧表示するように前記表示手段を制御する
請求項１〜請求項３の何れか１項に記載の画像表示装置。
【請求項５】
前記制御手段は、前記一覧表示を前記表示手段における表示領域内の所定領域内に所定数だけ表示対象とする画像を表示することにより行うと共に、当該表示対象とする画像の数が前記所定数に満たない場合は、当該表示対象とする画像を前記所定領域内の空き領域を利用して拡大表示するように前記表示手段を制御する
請求項１〜請求項４の何れか１項記載の画像表示装置。
【請求項６】
前記制御手段は、前記一覧表示を前記表示手段における表示領域内の所定領域内に所定数だけ表示対象とする画像を表示することにより行うと共に、当該表示対象とする画像の数が前記所定数に満たない場合は、前記所定領域内の空き領域への画像の表示を禁止するように前記表示手段を制御する
請求項１〜請求項４の何れか１項記載の画像表示装置。
【請求項７】
前記連続的に表示されている状態を、前記表示手段における画面領域を区分けして得られた複数の区分領域に対して、表示対象とする画像における複数の画像が所定方向に前記予め定められた順序に沿った並び順で同時に表示され、かつ前記複数の区分領域の各々に前記予め定められた順序で連続的に表示されている状態とした
請求項１〜請求項６の何れか１項記載の画像表示装置。
【請求項８】
前記制御手段は、前記連続的な表示が行われているときに前記受付手段により前記停止指示が受け付けられた場合に、現時点で前記画面領域に表示されている複数の画像が前記複数の区分領域のうちの１つである特定区分領域に縮小して表示されると共に、残りの前記区分領域に対しても、前記表示順序が現時点で前記特定区分領域に表示されている画像に連続する画像が前記所定方向に前記予め定められた順序に沿った並び順で同時に表示されることで前記一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する請求項７に記載の画像表示装置。
【請求項９】
前記受付手段は、前記複数の画像情報の少なくとも１つにより示される画像が前記表示手段により表示されている状態で、当該画像を先頭として前記予め定められた順序で前記連続的な表示を開始するための開始指示を更に受け付け、
前記制御手段は、前記受付手段により前記開始指示が受け付けられたとき、前記連続的な表示を行うように前記表示手段を制御する
請求項１〜請求項８の何れか１項に記載の画像表示装置。
【請求項１０】
複数の画像情報を予め記憶した記憶手段に記憶されている前記複数の画像情報により各々示される複数の画像を予め定められた順序で連続的に表示可能な表示手段により前記複数の画像が前記予め定められた順序で連続的に表示されている状態で該連続的な表示を停止するための停止指示及び予め定められた指示を受け付ける受付工程と、
前記連続的な表示が行われているときに前記受付工程により前記停止指示が受け付けられた場合に、前記受付工程により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた数の画像の一覧表示を行うように前記表示手段を制御すると共に、前記一覧表示を行ってから所定時間内に前記受付工程により前記予め定められた指示が受け付けられなかった場合に、前記受付工程により前記停止指示が受け付けられた時点で表示されていた画像が表示された表示状態に戻すように前記表示手段を制御する制御工程と、
を含む画像表示方法。
【請求項１１】
複数の画像情報を予め記憶した記憶手段に記憶されている前記複数の画像情報により各々示される複数の画像を予め定められた順序で連続的に表示可能な表示手段により前記複数の画像が前記予め定められた順序で連続的に表示されている状態で該連続的な表示を停止するための停止指示及び予め定められた指示を受け付ける受付工程と、
前記連続的な表示が行われているときに前記受付工程により前記停止指示が受け付けられた場合に、前記受付工程により前記停止指示が受け付けられた時点で表示されている画像を基準とする予め定められた範囲の画像として、前記連続的な表示において表示対象とされている画像の範囲内で、かつ表示順序が前記基準とする画像以降に連続する予め定められた数の画像の一覧表示を行うように前記表示手段を制御すると共に、前記一覧表示を行ってから所定時間内に前記受付工程により前記予め定められた指示が受け付けられなかった場合に、前記受付工程により前記停止指示が受け付けられた時点で表示されていた画像が表示された表示状態に戻すように前記表示手段を制御する制御工程と、
を含む画像表示方法。
【請求項１２】
複数の画像情報を予め記憶した記憶手段に記憶されている前記複数の画像情報により各々示される複数の画像を予め定められた順序で連続的に表示可能な表示手段により前記複数の画像が前記予め定められた順序で連続的に表示されている状態で該連続的な表示を停止するための停止指示及び予め定められた指示を受け付ける受付工程と、
前記連続的な表示が行われているときに前記受付工程により前記停止指示が受け付けられた場合に、前記受付工程により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた第２の数の画像及び表示順序が前記基準とする画像以降に連続する予め定められた第３の数の画像の一覧表示を行うように前記表示手段を制御すると共に、前記一覧表示を行ってから所定時間内に前記受付工程により前記予め定められた指示が受け付けられなかった場合に、前記受付工程により前記停止指示が受け付けられた時点で表示されていた画像が表示された表示状態に戻すように前記表示手段を制御する制御工程と、
を含む画像表示方法。
【請求項１３】
複数の画像情報を予め記憶した記憶手段と、前記記憶手段に記憶されている前記複数の画像情報により各々示される複数の画像を予め定められた順序で連続的に表示可能な表示手段と、前記表示手段により前記複数の画像が前記予め定められた順序で連続的に表示されている状態で該連続的な表示を停止するための停止指示及び予め定められた指示を受け付ける受付手段と、を含む画像表示装置を制御するコンピュータを、
前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段として機能させるためのプログラム
【請求項１４】
複数の画像情報を予め記憶した記憶手段と、前記記憶手段に記憶されている前記複数の画像情報により各々示される複数の画像を予め定められた順序で連続的に表示可能な表示手段と、前記表示手段により前記複数の画像が前記予め定められた順序で連続的に表示されている状態で該連続的な表示を停止するための停止指示及び予め定められた指示を受け付ける受付手段と、を含む画像表示装置を制御するコンピュータを、
前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像以降に連続する予め定められた数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段として機能させるためのプログラム。
【請求項１５】
複数の画像情報を予め記憶した記憶手段と、前記記憶手段に記憶されている前記複数の画像情報により各々示される複数の画像を予め定められた順序で連続的に表示可能な表示手段と、前記表示手段により前記複数の画像が前記予め定められた順序で連続的に表示されている状態で該連続的な表示を停止するための停止指示及び予め定められた指示を受け付ける受付手段と、を含む画像表示装置を制御するコンピュータを、
前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた第２の数の画像及び表示順序が前記基準とする画像以降に連続する予め定められた第３の数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段として機能させるためのプログラム。
【請求項１６】
請求項１〜請求項９の何れか１項に記載の画像表示装置を備えた撮影装置。
【発明の詳細な説明】
【技術分野】
【０００１】
本発明は、複数の画像の連続的な表示を行っているときに任意のタイミングで当該連続的な表示を停止する画像表示装置、画像表示方法、プログラム及び撮影装置に関する。
【背景技術】
【０００２】
記録媒体に記録されている複数の画像情報の各々により示される複数の画像の予め定められた順序での連続的な表示を行う画像表示装置が知られている。
【０００３】
この種の画像表示装置に関する技術として、特許文献１には、動画の標準再生、早送り再生、巻き戻し再生、スロー再生、スロー逆再生、倍速再生、倍速逆再生、コマ送り再生、逆コマ送り再生等の各種再生機能を有するデジタルカメラが開示されている。
【特許文献１】特開２００４−１０４５９４号公報
【発明の開示】
【発明が解決しようとする課題】
【０００４】
しかしながら、上記特許文献１の技術では、連続的な表示を行っている画像から所望の画像を指定する場合、表示速度によっては所望の画像が表示されているタイミングと、当該画像の指定のタイミングにずれが生じる場合があり、この場合は所望の画像を迅速に指定することができない、という問題点があった。
【０００５】
本発明は上記問題点を解決するために成されたものであり、所望の画像を迅速に指定することができる画像表示装置、画像表示方法、プログラム及び撮影装置を提供することを目的とする。
【課題を解決するための手段】
【０００６】
上記目的を達成するために、請求項１に記載の画像表示装置は、複数の画像情報を予め記憶した記憶手段と、前記記憶手段に記憶されている前記複数の画像情報により各々示される複数の画像を予め定められた順序で連続的に表示可能な表示手段と、前記表示手段により前記複数の画像が前記予め定められた順序で連続的に表示されている状態で該連続的な表示を停止するための停止指示及び予め定められた指示を受け付ける受付手段と、前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段と、を備えている。
【０００７】
請求項１に記載のデジタルカメラは、表示手段により、前記複数の画像が前記予め定められた順序で連続的に表示されている状態で連続的な表示を停止するための停止指示及び予め定められた指示が受け付けられる。
【０００８】
なお、上記記憶手段には、メモリスティック、マイクロドライブ等の可搬型記録媒体や、ＲＡＭ、ＥＥＰＲＯＭ、フラッシュメモリ等の半導体記憶素子が含まれる。
【０００９】
また、上記表示手段には、ＬＣＤ（液晶ディスプレイ）、ＣＲＴディスプレイ、有機ＥＬディスプレイ、プラズマディスプレイ等の各種ディスプレイが含まれる。
【００１０】
ここで、本発明では、制御手段により、連続的な表示が行われているときに受付手段により停止指示が受け付けられた場合に、受付手段により停止指示が受け付けられた時点で表示されている画像を基準とする予め定められた範囲として、前記連続的な表示において表示対象とされている画像の範囲内で、かつ表示順序が前記基準とする画像から遡って連続する予め定められた数の画像の一覧表示を行うように表示手段が制御される。また、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段が制御される。
【００１１】
このように、本発明によれば、複数の画像の予め定められた順序での連続的な表示が行われているときに受付手段により連続的な表示を停止するための停止指示が受け付けられた場合に、当該停止指示が受け付けられた時点で表示されている画像を基準とする予め定められた範囲として、前記連続的な表示において表示対象とされている画像の範囲内で、かつ表示順序が前記基準とする画像から遡って連続する予め定められた数の画像の一覧表示を行うと共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すので、当該一覧表示されている画像に対して所望の画像を指定することにより、所望の画像が表示されたタイミングより当該画像の指定のタイミングが遅い場合において、所望の画像を迅速に指定することができ、かつ上記停止指示が受け付けられた時点で表示されていた画像を再度表示させるための操作が不要になり、この結果、利便性を向上させることができる。
【００１２】
一方、上記目的を達成するために、請求項２に記載の画像表示装置は、複数の画像情報を予め記憶した記憶手段と、前記記憶手段に記憶されている前記複数の画像情報により各々示される複数の画像を予め定められた順序で連続的に表示可能な表示手段と、前記表示手段により前記複数の画像が前記予め定められた順序で連続的に表示されている状態で該連続的な表示を停止するための停止指示及び予め定められた指示を受け付ける受付手段と、前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像以降に連続する予め定められた数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段と、を備えている。
【００１３】
これにより、所望の画像が表示されたタイミングより当該画像の指定のタイミングが早い場合において、所望の画像を迅速に指定することができる。
【００１４】
一方、上記目的を達成するために、請求項３に記載の画像表示装置は、複数の画像情報を予め記憶した記憶手段と、前記記憶手段に記憶されている前記複数の画像情報により各々示される複数の画像を予め定められた順序で連続的に表示可能な表示手段と、前記表示手段により前記複数の画像が前記予め定められた順序で連続的に表示されている状態で該連続的な表示を停止するための停止指示及び予め定められた指示を受け付ける受付手段と、前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた第２の数の画像及び表示順序が前記基準とする画像以降に連続する予め定められた第３の数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段と、を備えている。
これにより、所望の画像が表示されたタイミングより当該画像の指定のタイミングが遅いのか早いのか明確でない場合において、所望の画像を迅速に指定することができる。
【００１５】
また、請求項１〜請求項３の何れか１項に記載の画像表示装置は、請求項４に記載の発明のように、前記制御手段が、前記予め定められた範囲の画像をラスタ状に一覧表示するように前記表示手段を制御するものとしても良い。これにより、より一層迅速に所望の画像を指定することができる。
【００１６】
また、請求項１〜請求項４の何れか１項に記載の画像表示装置は、請求項５に記載の発明のように、前記制御手段が、前記一覧表示を前記表示手段における表示領域内の所定領域内に所定数だけ表示対象とする画像を表示することにより行うと共に、当該表示対象とする画像の数が前記所定数に満たない場合は、当該表示対象とする画像を前記所定領域内の空き領域を利用して拡大表示するように前記表示手段を制御するものとしても良い。これにより、より一層迅速に所望の画像を指定することができる。
【００１７】
また、請求項１〜請求項４の何れか１項に記載の画像表示装置は、請求項６に記載の発明のように、前記制御手段が、前記一覧表示を前記表示手段における表示領域内の所定領域内に所定数だけ表示対象とする画像を表示することにより行うと共に、当該表示対象とする画像の数が前記所定数に満たない場合は、前記所定領域内の空き領域への画像の表示を禁止するように前記表示手段を制御するものとしても良い。これにより、より一層迅速に所望の画像を指定することができる。
【００１８】
また、請求項１〜請求項６の何れか１項に記載の画像表示装置は、請求項７に記載の発明のように、前記連続的に表示されている状態を、前記表示手段における画面領域を区分けして得られた複数の区分領域に対して、表示対象とする画像における複数の画像が所定方向に前記予め定められた順序に沿った並び順で同時に表示され、かつ前記複数の区分領域の各々に前記予め定められた順序で連続的に表示されている状態としたものとしても良い。これにより、より一層迅速に所望の画像を指定することができる。
【００１９】
また、請求項７に記載の画像表示装置は、請求項８に記載の発明のように、前記制御手段が、前記連続的な表示が行われているときに前記受付手段により前記停止指示が受け付けられた場合に、現時点で前記画面領域に表示されている複数の画像が前記複数の区分領域のうちの１つである特定区分領域に縮小して表示されると共に、残りの前記区分領域に対しても、前記表示順序が現時点で前記特定区分領域に表示されている画像に連続する画像が前記所定方向に前記予め定められた順序に沿った並び順で同時に表示されることで前記一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御するものとしても良い。
【００２０】
また、請求項１〜請求項８の何れか１項に記載の画像表示装置は、請求項９に記載の発明のように、前記受付手段が、前記複数の画像情報の少なくとも１つにより示される画像が前記表示手段により表示されている状態で、当該画像を先頭として前記予め定められた順序で前記連続的な表示を開始するための開始指示を更に受け付け、前記制御手段が、前記受付手段により前記開始指示が受け付けられたとき、前記連続的な表示を行うように前記表示手段を制御するものとしても良い。これにより、任意のタイミングで連続的な表示を開始することができ、この結果、利便性を向上させることができる。
【００２１】
一方、上記目的を達成するために、請求項１０に記載の画像表示方法は、複数の画像情報を予め記憶した記憶手段に記憶されている前記複数の画像情報により各々示される複数の画像を予め定められた順序で連続的に表示可能な表示手段により前記複数の画像が前記予め定められた順序で連続的に表示されている状態で該連続的な表示を停止するための停止指示及び予め定められた指示を受け付ける受付工程と、前記連続的な表示が行われているときに前記受付工程により前記停止指示が受け付けられた場合に、前記受付工程により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた数の画像の一覧表示を行うように前記表示手段を制御すると共に、前記一覧表示を行ってから所定時間内に前記受付工程により前記予め定められた指示が受け付けられなかった場合に、前記受付工程により前記停止指示が受け付けられた時点で表示されていた画像が表示された表示状態に戻すように前記表示手段を制御する制御工程と、を有している。
一方、上記目的を達成するために、請求項１１に記載の画像表示方法は、複数の画像情報を予め記憶した記憶手段に記憶されている前記複数の画像情報により各々示される複数の画像を予め定められた順序で連続的に表示可能な表示手段により前記複数の画像が前記予め定められた順序で連続的に表示されている状態で該連続的な表示を停止するための停止指示及び予め定められた指示を受け付ける受付工程と、前記連続的な表示が行われているときに前記受付工程により前記停止指示が受け付けられた場合に、前記受付工程により前記停止指示が受け付けられた時点で表示されている画像を基準とする予め定められた範囲の画像として、前記連続的な表示において表示対象とされている画像の範囲内で、かつ表示順序が前記基準とする画像以降に連続する予め定められた数の画像の一覧表示を行うように前記表示手段を制御すると共に、前記一覧表示を行ってから所定時間内に前記受付工程により前記予め定められた指示が受け付けられなかった場合に、前記受付工程により前記停止指示が受け付けられた時点で表示されていた画像が表示された表示状態に戻すように前記表示手段を制御する制御工程と、を有している。
一方、上記目的を達成するために、請求項１２に記載の画像表示方法は、複数の画像情報を予め記憶した記憶手段に記憶されている前記複数の画像情報により各々示される複数の画像を予め定められた順序で連続的に表示可能な表示手段により前記複数の画像が前記予め定められた順序で連続的に表示されている状態で該連続的な表示を停止するための停止指示及び予め定められた指示を受け付ける受付工程と、前記連続的な表示が行われているときに前記受付工程により前記停止指示が受け付けられた場合に、前記受付工程により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた第２の数の画像及び表示順序が前記基準とする画像以降に連続する予め定められた第３の数の画像の一覧表示を行うように前記表示手段を制御すると共に、前記一覧表示を行ってから所定時間内に前記受付工程により前記予め定められた指示が受け付けられなかった場合に、前記受付工程により前記停止指示が受け付けられた時点で表示されていた画像が表示された表示状態に戻すように前記表示手段を制御する制御工程と、を有している。
【００２２】
従って、本発明の画像表示方法によれば、請求項１記載の発明と同様に作用するので、請求項１記載の発明と同様に、所望の画像を迅速に指定することができる。
【００２３】
一方、上記目的を達成するために、請求項１３に記載のプログラムは、複数の画像情報を予め記憶した記憶手段と、前記記憶手段に記憶されている前記複数の画像情報により各々示される複数の画像を予め定められた順序で連続的に表示可能な表示手段と、前記表示手段により前記複数の画像が前記予め定められた順序で連続的に表示されている状態で該連続的な表示を停止するための停止指示及び予め定められた指示を受け付ける受付手段と、を含む画像表示装置を制御するコンピュータを、前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段として機能させるためのものである。
一方、上記目的を達成するために、請求項１４に記載のプログラムは、複数の画像情報を予め記憶した記憶手段と、前記記憶手段に記憶されている前記複数の画像情報により各々示される複数の画像を予め定められた順序で連続的に表示可能な表示手段と、前記表示手段により前記複数の画像が前記予め定められた順序で連続的に表示されている状態で該連続的な表示を停止するための停止指示及び予め定められた指示を受け付ける受付手段と、を含む画像表示装置を制御するコンピュータを、前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像以降に連続する予め定められた数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段として機能させるためのものである。
一方、上記目的を達成するために、請求項１５に記載のプログラムは、複数の画像情報を予め記憶した記憶手段と、前記記憶手段に記憶されている前記複数の画像情報により各々示される複数の画像を予め定められた順序で連続的に表示可能な表示手段と、前記表示手段により前記複数の画像が前記予め定められた順序で連続的に表示されている状態で該連続的な表示を停止するための停止指示及び予め定められた指示を受け付ける受付手段と、を含む画像表示装置を制御するコンピュータを、前記連続的な表示が行われているときに前記受付手段により前記停止指示が受け付けられた場合に、前記受付手段により前記停止指示が受け付けられた時点で表示されている画像を基準とする予め定められた範囲の画像として、前記連続的な表示において表示対象とされている画像の範囲内で、かつ表示順序が前記基準とする画像から遡って連続する予め定められた第２の数の画像及び表示順序が前記基準とする画像以降に連続する予め定められた第３の数の画像の一覧表示を行うように前記表示手段を制御すると共に、前記一覧表示を行ってから所定時間内に前記受付手段により前記予め定められた指示が受け付けられなかった場合に、前記受付手段により前記停止指示が受け付けられた時点で表示されていた画像が表示された表示状態に戻すように前記表示手段を制御する制御手段として機能させるためのものである。
【００２４】
従って、本発明のプログラムによれば、コンピュータに対して請求項１の発明と同様に作用させることができるので、請求項１の発明と同様に、所望の画像を迅速に指定することができる。
【００２５】
一方、上記目的を達成するために、請求項１６に記載の撮影装置は、請求項１〜請求項９の何れか１項に記載の画像表示装置を備えたものである。
【００２６】
従って、請求項１３に記載の発明によれば、請求項１記載の発明と同様に作用するので、請求項１記載の発明と同様に、所望の画像を迅速に指定することができる。
【発明の効果】
【００２７】
本発明によれば、所望の画像を迅速に指定することができる、という優れた効果を得ることができる。
【発明を実施するための最良の形態】
【００２８】
以下、図面を参照して本発明を実施するための最良の形態について詳細に説明する。なお、以下の各実施形態では、本発明をデジタル電子スチルカメラ（以下、「デジタルカメラ」という。）に適用した場合について説明する。
【００２９】
〔第１の実施形態〕
図１は、本第１の実施形態に係るデジタルカメラ１０Ａの外観を示す外観図である。
【００３０】
同図に示すように、本発明の画像表示装置及び撮影装置として機能するデジタルカメラ１０Ａの正面には、被写体を結像させるためのレンズ１２が備えられている。また、デジタルカメラ１０Ａの上面には、撮影を実行する際に撮影者によって押圧操作されるレリーズボタン（所謂シャッター）５６Ａと、電源スイッチ５６Ｂと、が備えられている。
【００３１】
なお、本第１の実施形態に係るレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３２】
そして、本第１の実施形態に係るデジタルカメラ１０Ａでは、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３３】
一方、デジタルカメラ１０Ａの背面には、撮影によって得られたデジタル画像データにより示される被写体像（画像）や各種メニュー画面、メッセージ等を表示するための液晶ディスプレイ（以下、「ＬＣＤ」という。）３０と、撮影を行うモードである撮影モード及び撮影によって得られたデジタル画像データにより示される画像をＬＣＤ３０に表示（再生）するモードである再生モードの何れかのモードに設定するためにスライド操作されるモード切替スイッチ５６Ｃと、ＬＣＤ３０の表示領域における上・下・左・右の４方向の移動方向を示す４つの矢印キーを含んで構成された十字カーソルボタン５６Ｄと、が備えられている。
【００３４】
また、デジタルカメラ１０Ａの背面には、ＬＣＤ３０にメインメニュー画面を表示する際に押圧操作されるメニューキー５６Ｅと、メニュー画面で指定された処理を実行する際に押圧操作される実行キー５６Ｆと、各種操作を停止（キャンセル）する際に押圧操作されるキャンセルキー５６Ｇと、が備えられている。
【００３５】
図２は、本第１の実施形態に係るデジタルカメラ１０Ａの電気系の要部構成を示すブロック図である。
【００３６】
同図に示すように、デジタルカメラ１０Ａは、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００３７】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３８】
一方、デジタルカメラ１０Ａは、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに圧縮処理を施す一方、圧縮処理されたデジタル画像データに伸張処理を施す圧縮・伸張処理回路２４と、デジタル画像データにより示される画像やメニュー画面等をＬＣＤ３０に表示させるための信号を生成してＬＣＤ３０に供給する表示制御回路２８と、を含んで構成されている。なお、画像入力コントローラ２０の入力端子はＡＤＣ１８の出力端子に接続されている。
【００３９】
また、デジタルカメラ１０Ａは、デジタルカメラ１０Ａ全体の動作を司るＣＰＵ（中央処理装置）３２と、ＡＦ機能を働かせるために必要とされる物理量（本第１の実施形態では、ＣＣＤ１４による撮像によって得られた画像の輝度の高周波成分を示すＡＦ評価値。）を検出するＡＦ検出回路３４と、ＡＥ機能及びＡＷＢ（Automatic White Balance）機能を働かせるために必要とされる物理量（本第１の実施形態では、ＣＣＤ１４による撮像によって得られた画像の明るさを示す量。）を検出するＡＥ・ＡＷＢ検出回路３６と、ＣＰＵ３２による各種処理の実行時のワークエリア等として用いられる第１メモリ３８と、主として撮影により得られたデジタル画像データを記憶する第２メモリ４０と、を含んで構成されている。
【００４０】
更に、デジタルカメラ１０Ａは、記録メディア４２Ａをデジタルカメラ１０Ａでアクセス可能とするためのメディアコントローラ４２と、を含んで構成されている。
【００４１】
以上の画像入力コントローラ２０、画像信号処理回路２２、圧縮・伸張処理回路２４、表示制御回路２８、ＣＰＵ３２、ＡＦ検出回路３４、ＡＥ・ＡＷＢ検出回路３６、第１メモリ３８、第２メモリ４０及びメディアコントローラ４２は、各々バスＢＵＳを介して相互に接続されている。
【００４２】
従って、ＣＰＵ３２は、画像入力コントローラ２０、画像信号処理回路２２、圧縮・伸張処理回路２４、及び表示制御回路２８の各々の作動の制御と、ＡＦ検出回路３４及びＡＥ・ＡＷＢ検出回路３６により検出された物理量の取得と、第１メモリ３８及び第２メモリ４０へのアクセスと、メディアコントローラ４２を介した記録メディア４２Ａへのアクセスと、を各々行うことができる。
【００４３】
一方、デジタルカメラ１０Ａには、主としてＣＣＤ１４を駆動させるためのタイミング信号を生成してＣＣＤ１４に供給するタイミングジェネレータ４８が設けられている。当該タイミングジェネレータ４８の入力端子はＣＰＵ３２に、出力端子はＣＣＤ１４に各々接続されており、ＣＣＤ１４の駆動は、ＣＰＵ３２によりタイミングジェネレータ４８を介して制御される。
【００４４】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００４５】
本第１の実施形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００４６】
ＣＰＵ３２は、光学ズーム倍率を変更する際にはズームモータを駆動制御して光学ユニット１３に含まれるレンズ１２の焦点距離を変化させる。
【００４７】
また、ＣＰＵ３２は、ＣＣＤ１４による撮像によって得られた画像のコントラストが最大となるように上記焦点調整モータを駆動制御することによって合焦制御を行う。すなわち、本第１の実施形態に係るデジタルカメラ１０Ａでは、合焦制御として、読み取られた画像のコントラストが最大となるようにレンズの位置を設定する、所謂ＴＴＬ（Through The Lens）方式を採用している。
【００４８】
更に、前述のレリーズボタン５６Ａ、電源スイッチ５６Ｂ、モード切替スイッチ５６Ｃ、十字カーソルボタン５６Ｄ、メニューキー５６Ｅ、実行キー５６Ｆ及びキャンセルキー５６Ｇを含む操作部５６はＣＰＵ３２に接続されており、ＣＰＵ３２は、これら操作部５６の各々に対する操作状態を常時把握できる。
【００４９】
次に、本第１の実施形態に係るデジタルカメラ１０Ａの作用を説明する。まず、撮影モードが設定されている場合の全体的な処理の流れについて簡単に説明する。
【００５０】
まず、ＣＣＤ１４による光学ユニット１３を介した撮像が行なわれ、画像を示す信号がＣＣＤ１４から順次出力される。そして、ＣＣＤ１４から出力された信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００５１】
画像入力コントローラ２０は内蔵しているラインバッファにＡＤＣ１８から順次入力されるデジタル画像データを蓄積して一旦第２メモリ４０の所定領域に格納する。
【００５２】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、ＹＣ信号を第２メモリ４０の上記所定領域とは異なる領域に格納する。
【００５３】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、表示制御回路２８を介して順次ＬＣＤ３０に出力する。これによってＬＣＤ３０にスルー画像が表示されることになる。
【００５４】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点で第２メモリ４０に格納されているＹＣ信号を、圧縮・伸張処理回路２４によって所定の圧縮形式（本第１の実施形態では、ＪＰＥＧ形式）で圧縮した後に記録メディア４２Ａに画像情報として記録する。この画像情報は撮影して得られた画像を示すものである。当該画像情報には、画像を特定するための画像番号が付加される。
【００５５】
なお、本第１の実施形態に係るデジタルカメラ１０Ａでは、記録メディア４２Ａに複数の画像情報が記録される場合、上記画像番号は、記録メディア４２Ａに画像情報が記録される毎に記録メディア４２Ａに記録される画像情報の先頭の画像情報を基準として昇順となっていくように割り振られる。
【００５６】
ところで、本第１の実施形態に係るデジタルカメラ１０Ａでは、再生モードにおいて、記録メディア４２Ａに複数の画像情報が記録されている場合、当該複数の画像情報の少なくとも１つにより示される画像がＬＣＤ３０により表示されている状態で、当該画像を先頭として上記複数の画像情報により各々示される複数の画像の予め定められた順序での連続的な表示を開始するための開始指示が操作部５６により受け付けられると、ＣＰＵ３２がＬＣＤ３０に対して上記連続的な表示を行わせる高速コマ送り処理を行う。
【００５７】
なお、本第１の実施形態に係るデジタルカメラ１０Ａでは、上記開始指示として、十字カーソルボタン５６Ｄの左方向又は右方向を示す矢印キーの予め定められた時間（本第１の実施形態では、１秒）以上の継続した押下を適用している。
【００５８】
次に、図３を参照してデジタルカメラ１０Ａの作用を説明する。なお、ここでは、錯綜を回避するために、再生モードが設定されており、かつ記録メディア４２Ａに複数の画像情報が記録されている場合について説明する。
【００５９】
また、図３は、上記開始指示に応じてデジタルカメラ１０ＡのＣＰＵ３２により実行される本第１の実施形態に係る高速コマ送り処理プログラムの処理の流れを示すフローチャートであり、当該プログラムは第２メモリ４０の所定領域に予め記憶されている。
【００６０】
同図のステップ１００では、記録メディア４２Ａに記録されている全ての画像情報を読み出し、次のステップ１０２では、操作部５６により上記連続的な表示を停止するための停止指示が受け付けられた否かを判定し、肯定判定となった場合にはステップ１０８へ移行する一方、否定判定となった場合にはステップ１０４へ移行する。
【００６１】
なお、本第１の実施形態に係るデジタルカメラ１０Ａでは、上記停止指示として、十字カーソルボタン５６Ｄの押下の解除を適用している。
【００６２】
ステップ１０４では、上記ステップ１０２の処理が行われてから第１所定時間（本第１の実施形態では、０．１秒）が経過したか否かを判定し、肯定判定となった場合にはステップ１０６へ移行する一方、否定判定となった場合には上記ステップ１０２へ戻る。
【００６３】
なお、本第１の実施形態に係るデジタルカメラ１０Ａでは、上記第１所定時間として０．１秒を適用しているが、この時間は適宜変更可能である。
【００６４】
ステップ１０６では、ＬＣＤ３０に対して、表示順序が現在表示されている画像の次の画像を表示させ、その後に上記ステップ１０２へ戻る。
【００６５】
なお、本第１の実施形態に係るデジタルカメラ１０Ａでは、例えば、画像番号が「１」〜「１０」の画像情報が画像番号「１」の画像情報を先頭にして昇順に記録メディア４２Ａに記録されており、ＬＣＤ３０に現在表示されている画像を示す画像情報に付加されている画像番号が「１０」である場合に、上記開始指示として十字カーソルボタン５６Ｄの左方向を示す矢印キーが押下され、上記ステップ１０２〜上記ステップ１０６の処理が繰り返し行われると、操作部５６により上記停止指示が受け付けられるまで、画像番号「１」〜「１０」の画像情報により各々示される画像が、画像番号「１０」の画像情報により示される画像を始点、画像番号「１」の画像情報により示される画像を終点として連続的に繰り返して表示される。
【００６６】
また、本第１の実施形態に係るデジタルカメラ１０Ａでは、例えば、画像番号が「１」〜「１０」の画像情報が画像番号「１」の画像情報を先頭にして昇順に記録メディア４２Ａに記録されており、現在表示されている画像を示す画像情報に付加されている画像番号が「１」である場合に、十字カーソルボタン５６Ｄの右方向を示す矢印キーが押下され、上記ステップ１０２〜上記ステップ１０６の処理が繰り返し行われると、操作部５６により上記停止指示が受け付けられるまで、画像番号「１」〜「１０」の画像情報により各々示される画像が、画像番号「１」の画像情報により示される画像を始点、画像番号「１０」の画像情報により示される画像を終点として連続的に繰り返して表示される。
【００６７】
一方、ステップ１０８では、ＬＣＤ３０に現在表示されている画像を特定するための情報（ここでは、画像番号）を第２メモリ４０に記憶し、次のステップ１１０では、上記ステップ１０２〜上記ステップ１０６の処理により画像が所定数（ここでは、９）以上表示されたか否かを判定し、肯定判定となった場合にはステップ１１２へ移行する一方、否定判定となった場合にはステップ１２４へ移行する。
【００６８】
ステップ１１２では、ＬＣＤ３０に対して、上記ステップ１０２の処理により上記停止指示が受け付けられた時点で表示されている画像を基準とする予め定められた範囲の画像の通常一覧表示を行わせ、その後にステップ１１４へ移行する。
【００６９】
なお、本第１の実施形態に係るデジタルカメラ１０Ａでは、上記予め定められた範囲の画像として、上記ステップ１０２の処理により上記停止指示が受け付けられた時点で表示されている画像、及び上記連続的な表示において表示対象とされている画像の範囲内の、表示順序が上記ステップ１０２の処理により上記停止指示が受け付けられた時点で表示されている画像から遡って連続する予め定められた数（ここでは、８）の画像を適用している。
【００７０】
ここで、本第１の実施形態に係るデジタルカメラ１０Ａでは、上記ステップ１１２の処理として、ＬＣＤ３０に対して、ＬＣＤ３０における表示領域内の所定領域内に上記所定数だけ表示対象とする画像を表示させている。
【００７１】
例えば、図４に示すように、記録メディア４２Ａに画像番号が「１」〜「１０」の画像情報が画像番号「１」の画像情報を先頭にして昇順に記録されており、画像番号「１」の画像情報から上記連続的な表示を開始し、画像番号「１０」の画像情報により示される画像が表示されている時点で上記連続的な表示を停止した場合、上記ステップ１１２の処理として、ＬＣＤ３０に対して、図５に示すように、ＬＣＤ３０の表示領域の縦方向及び横方向の各々を等間隔に３分割して設けられた９個の区分領域に、画像番号「２」〜「１０」の画像情報により各々示される画像を縮小したもの（サムネイル画像）をＬＣＤ３０の表示領域の正面視左上から右下の区分領域（図５のハッチング領域）にかけて画像番号が昇順となるように且つ区分領域毎に１つの画像が表示されるようにラスタ状に一覧表示を行わせている。
【００７２】
なお、図５に示すＬＣＤ３０の表示領域における数字は画像番号を示しており、当該画像番号は実際には表示されない。
【００７３】
また、本第１の実施形態に係るデジタルカメラ１０Ａでは、上記区分領域のうちの何れか１つをユーザにより選択可能とされており、ＬＣＤ３０におけるユーザにより選択された上記区分領域の位置に選択枠（図５の一点鎖線）を表示するようにしている。当該選択枠は十字カーソルボタン５６Ｄを操作することにより移動表示され、当該選択枠を停止表示させてから実行キー５６Ｆを押下することにより、その時点で当該選択枠で囲まれている画像がＬＣＤ３０の表示領域全体に拡大表示される。
【００７４】
ステップ１１４では、操作部５６により所定の指示情報が受け付けられたか否かを判定し、肯定判定となった場合にはステップ１１６へ移行する一方、否定判定となった場合にはステップ１１８へ移行する。
【００７５】
ステップ１１６では、上記ステップ１１４の処理により受け付けられた指示情報に応じた処理を行い、その後に本第１の実施形態に係る高速コマ送り処理プログラムを終了する。なお、上記指示情報に応じた処理としては、上記選択枠の移動表示、メニュー画面の表示、上記選択枠で囲まれている画像を示す画像情報の消去等が挙げられる。
【００７６】
ステップ１１８では、上記ステップ１１２の処理により一覧表示が行われてから第２所定時間（本第１の実施形態では、２０秒）経過したか否かを判定し、肯定判定となった場合にはステップ１２０へ移行する一方、否定判定となった場合には上記ステップ１１４へ戻る。
【００７７】
なお、本第１の実施形態に係るデジタルカメラ１０Ａでは、上記第２所定時間として２０秒を適用しているが、この時間は適宜変更可能である。
【００７８】
ステップ１２０では、操作部５６により上記停止指示が受け付けられた時点までＬＣＤ３０の表示状態を戻すように、ＬＣＤ３０に対して、上記ステップ１０８の処理により第２メモリ４０に記憶された画像番号により特定される画像を表示させ、その後に本第１の実施形態に係る高速コマ送り処理プログラムを終了する。
【００７９】
一方、ステップ１２４では、ＬＣＤ３０に対して、表示対象とする画像を上記所定領域内の空き領域を利用して拡大表示させることにより一覧表示を行わせ、その後に本第１の実施形態に係る高速コマ送り処理プログラムを終了する。
【００８０】
なお、本第１の実施形態に係るデジタルカメラ１０Ａでは、例えば、図６に示すように、記録メディア４２Ａに画像番号が「１」〜「４」の画像情報が画像番号「１」の画像情報を先頭にして昇順に記録されており、画像番号「１」の画像情報から上記連続的な表示を開始し、画像番号「４」の画像情報により示される画像が表示されている時点で上記連続的な表示を停止した場合には、上記ステップ１２４の処理として、図７に示すように、ＬＣＤ３０に対して、画像番号「１」〜「４」の画像情報により各々示される画像を上記区分領域における空き領域を利用して拡大表示させることにより一覧表示を行わせている。
【００８１】
なお、画像番号「１」〜「４」の画像情報により各々示される画像は、画像番号「４」の画像情報により示される画像がＬＣＤ３０の表示領域の正面視右下の領域（図７のハッチング領域）に表示され、ＬＣＤ３０の表示領域の正面視左上から右下にかけて画像番号が昇順となるようにラスタ状に一覧表示される。
【００８２】
また、図７の一点鎖線で示す枠はＬＣＤ３０に表示された画像を選択するための選択枠であり、前述した選択枠と同様の方法で使用することができる。
【００８３】
また、図７に示すＬＣＤ３０の表示領域における数字は画像番号を示しており、当該画像番号は実際には表示されない。
【００８４】
なお、本第１の実施形態では、上記ステップ１０２が本発明の受付ステップに、上記ステップ１０２〜上記ステップ１０６が本発明の表示ステップに、上記ステップ１１２及び上記ステップ１２４が本発明の制御ステップに各々相当する。
【００８５】
以上詳細に説明したように、本第１の実施形態によれば、複数の画像情報を記録メディア４２Ａに記録し、ＬＣＤ３０が、記録メディア４２Ａに記録されている複数の画像情報により各々示される複数の画像の予め定められた順序（本第１の実施形態では、画像番号順）での連続的な表示を行い、操作部５６が、当該連続的な表示を停止するための停止指示を受け付け、ＣＰＵ３２が、上記連続的な表示が行われているときに操作部５６により上記停止指示が受け付けられた場合に、操作部５６により上記停止指示が受け付けられた時点で表示されている画像を基準とする予め定められた範囲の画像の一覧表示を行うようにＬＣＤ３０を制御しているので、所望の画像を迅速に指定することができる。
【００８６】
また、本第１の実施形態によれば、上記予め定められた範囲の画像が、対応する上記連続的な表示において表示対象とされている画像の範囲内で、かつ表示順序が上記基準とする画像から遡って連続する予め定められた数（本第１の実施形態では、８）の画像であるので、所望の画像が表示されたタイミングより当該画像の指定のタイミングが遅い場合において、所望の画像を迅速に指定することができる。
【００８７】
また、本第１の実施形態によれば、ＣＰＵ３２が、上記予め定められた範囲の画像（対応する上記連続的な表示において表示対象とされている画像の範囲内で、かつ表示順序が上記基準とする画像から遡って連続する予め定められた数の画像）をラスタ状に一覧表示するようにＬＣＤ３０を制御しているので、より一層迅速に所望の画像を指定することができる。
【００８８】
また、本第１の実施形態によれば、ＣＰＵ３２が、上記一覧表示をＬＣＤ３０における表示領域内の所定領域内に所定数（ここでは、９）だけ表示対象とする画像を表示することにより行うと共に、当該表示対象とする画像の数が上記所定数に満たない場合には、当該表示対象とする画像を上記所定領域内の空き領域を利用して拡大表示するようにＬＣＤ３０を制御しているので、より一層迅速に所望の画像を指定することができる。
【００８９】
また、本第１の実施形態によれば、操作部５６が、予め定められた指示（ここでは、所定の指示情報）を受け付け、ＣＰＵ３２が、上記一覧表示を行ってから第２所定時間（ここでは、２０秒）内に操作部５６により上記予め定められた指示が受け付けられなかった場合に、操作部５６により上記停止指示が受け付けられた時点まで表示状態を戻すようにＬＣＤ３０を制御しているので、上記停止指示が受け付けられた時点で表示されていた画像を再度表示させるための操作が不要になり、この結果、利便性を向上させることができる。
【００９０】
また、本第１の実施形態によれば、操作部５６が記録メディア４２Ａに記録されている複数の画像情報の少なくとも１つにより示される画像がＬＣＤ３０により表示されている状態で、当該画像を先頭として上記予め定められた順序で上記連続的な表示を開始するための開始指示を受け付け、ＣＰＵ３２が、操作部５６により上記開始指示が受け付けられたとき、上記連続的な表示を行うようにＬＣＤ３０を制御しているので、任意のタイミングで上記連続的な表示を開始することができ、この結果、利便性を向上させることができる。
【００９１】
なお、本第１の実施形態では、上記予め定められた範囲の画像を、対応する上記連続的な表示において表示対象とされている画像の範囲内で、かつ表示順序が上記基準とする画像から遡って連続する予め定められた数の画像であるとしているが、本発明はこれに限定されるものではなく、上記予め定められた範囲の画像を、対応する上記連続的な表示において表示対象とされている画像の範囲内で、かつ表示順序が上記基準とする画像以降に連続する予め定められた数の画像であっても良く、この場合、所望の画像が表示されたタイミングより当該画像の指定のタイミングが早い場合において、所望の画像を迅速に指定することができる。
【００９２】
また、この場合も、ＣＰＵ３２が、上記予め定められた範囲の画像（対応する上記連続的な表示において表示対象とされている画像の範囲内で、かつ表示順序が上記基準とする画像以降に連続する予め定められた数の画像）をラスタ状に一覧表示することにより上記一覧表示を行うようにＬＣＤ３０を制御する形態としても良く、これによって、より一層迅速に所望の画像を指定することができる。
【００９３】
なお、この場合の形態例としては、記録メディア４２Ａに画像番号が「１」〜「２０」の画像情報が画像番号「１」の画像情報を先頭にして昇順に記録されており、画像番号「１」の画像情報から上記連続的な表示を開始し、画像番号「１０」の画像情報により示される画像が表示されている時点で上記連続的な表示を停止した場合、ＣＰＵ３２が、ＬＣＤ３０に対して、図８に示すように、ＬＣＤ３０の表示領域の縦方向及び横方向の各々を等間隔に３分割して設けられた９個の区分領域に、画像番号「１０」〜「１８」の画像情報により各々示される画像を縮小したものをＬＣＤ３０の表示領域の正面視左上の区分領域（図８のハッチング領域）から右下の区分領域にかけて画像番号が昇順となるように且つ区分領域毎に１つの画像が表示されるようにラスタ状に一覧表示を行わせる形態例が例示できる。
【００９４】
また、上記予め定められた範囲の画像は、対応する上記連続的な表示において表示対象とされている画像の範囲内で、かつ表示順序が上記基準とする画像から遡って連続する予め定められた第２の数の画像及び表示順序が上記基準とする画像以降に連続する予め定められた第３の数の画像であっても良く、この場合、所望の画像が表示されたタイミングより当該画像の指定のタイミングが遅いのか早いのか明確でない場合において、所望の画像を迅速に指定することができる。
【００９５】
また、この場合も、ＣＰＵ３２が、上記予め定められた範囲の画像（対応する上記連続的な表示において表示対象とされている画像の範囲内で、かつ表示順序が上記基準とする画像から遡って連続する予め定められた第２の数の画像及び表示順序が上記基準とする画像以降に連続する予め定められた第３の数の画像）をラスタ状に一覧表示することにより上記一覧表示を行うようにＬＣＤ３０を制御する形態としても良く、これによって、より一層迅速に所望の画像を指定することができる。
【００９６】
この場合の形態例としては、記録メディア４２Ａに画像番号が「１」〜「２０」の画像情報が画像番号「１」の画像情報を先頭にして昇順に記録されており、画像番号「１」の画像情報から上記連続的な表示を開始し、画像番号「１０」の画像情報により示される画像が表示されている時点で上記連続的な表示を停止した場合、ＣＰＵ３２が、ＬＣＤ３０に対して、図９に示すように、ＬＣＤ３０の表示領域の縦方向及び横方向の各々を等間隔に３分割して設けられた９個の区分領域に、画像番号「６」〜「１４」の画像情報により各々示される画像を縮小したものをＬＣＤ３０の表示領域の正面視左上から右下の区分領域にかけて画像番号が昇順となるように且つ区分領域毎に１つの画像が表示されるようにラスタ状に一覧表示を行わせる形態例が例示できる。
【００９７】
なお、この形態例では、画像番号「６」〜「９」の４つの画像が上記予め定められた第２の数の画像に、画像番号「１１」〜「１４」の４つ画像が上記予め定められた第３の数の画像に各々相当する。
【００９８】
また、本第１の実施形態では、表示対象とする画像の数が上記所定数に満たない場合には、当該表示対象とする画像を上記所定領域内の空き領域を利用して拡大表示するようにＬＣＤ３０を制御する場合の形態例を挙げて説明したが、本発明はこれに限定されるものではなく、ＣＰＵ３２が、上記一覧表示をＬＣＤ３０における表示領域内の所定領域内に所定数だけ表示対象とする画像を表示することにより行うと共に、当該表示対象とする画像の数が上記所定数に満たない場合には、上記所定領域内の空き領域への画像の表示を禁止するようにＬＣＤ３０を制御する形態としても良く、この場合も、より一層迅速に所望の画像を指定することができる。
【００９９】
この場合の形態例としては、記録メディア４２Ａに画像番号が「１」〜「２０」の画像情報が画像番号「１」の画像情報を先頭にして昇順に記録されており、画像番号「１」の画像情報から上記連続的な表示を開始し、画像番号「４」の画像情報により示される画像が表示されている時点で上記連続的な表示を停止した場合、ＣＰＵ３２が、ＬＣＤ３０に対して、図１０に示すように、画像番号「１」〜「４」の画像情報により各々示される画像のみを前述した区分領域のサイズに合わせて表示させる形態例が例示できる。
【０１００】
〔第２の実施形態〕
本第２の実施形態では、上記第１の実施形態で説明した連続的な表示を、表示対象とする画像における複数の画像を予め定められた順序で連続的かつ同時に表示することにより行う場合の形態について説明する。
【０１０１】
先ず、図１１を参照して、本第２の実施形態に係るデジタルカメラ１０Ｂの構成を説明する。なお、図１１の図１と同一の構成要素には図１と同一の符号を付して、その説明を省略する。
【０１０２】
同図に示すように、本第２の実施形態に係るデジタルカメラ１０Ｂは、背面に、再生モードから複数の画像の一覧表示を行うモードである一覧表示モードへ移行する際に押圧操作される一覧表示モード移行キー５６Ｈが備えられている。
【０１０３】
なお、一覧表示モード移行キー５６ＨはＣＰＵ３２に接続されており、ＣＰＵ３２は、一覧表示モード移行キー５６Ｈに対する操作状態を常時把握できる。
【０１０４】
ところで、本第２の実施形態に係るデジタルカメラ１０Ｂでは、一覧表示モードにおいて、ＬＣＤ３０の表示領域に対して複数の区分領域が予め定められており、各区分領域には上記連続的な表示の対象とされている複数の画像が１つずつ表示される。
【０１０５】
また、本第２の実施形態に係るデジタルカメラ１０Ｂでは、一覧表示モードにおいて、操作部５６により上記第１の実施形態で説明した開始指示が受け付けられると、ＣＰＵ３２が、ＬＣＤ３０に対して、上記連続的な表示を、表示対象とする画像における複数の画像を予め定められた順序で連続的かつ同時に表示させることにより行わせる高速コマ送り処理を行う。
【０１０６】
次に、図１２を参照してデジタルカメラ１０Ｂの作用を説明する。なお、ここでは、錯綜を回避するために、一覧表示モードにおいて、ＬＣＤ３０に画像番号が連続する複数の画像が一覧表示されており、かつ記録メディア４２Ａに当該複数の画像の画像番号に連続している画像番号の画像を示す画像情報が記録されている場合について説明する。
【０１０７】
また、図１２は上記開始指示に応じてデジタルカメラ１０ＢのＣＰＵ３２により実行される本第２の実施形態に係る高速コマ送り処理プログラムの処理の流れを示すフローチャートであり、当該プログラムは第２メモリ４０の所定領域に予め記憶されている。
【０１０８】
同図のステップ２００では、記録メディア４２Ａに記録されている全ての画像情報を読み出し、次のステップ２０２では、操作部５６により上記第１の実施形態で説明した停止指示が受け付けられたか否かを判定し、肯定判定となった場合にはステップ２０８へ移行する一方、否定判定となった場合にはステップ２０４へ移行する。
【０１０９】
ステップ２０４では、上記ステップ２０２の処理が行われてから上記第１の実施形態で説明した第１所定時間が経過したか否かを判定し、肯定判定となった場合にはステップ２０６へ移行する一方、否定判定となった場合には上記ステップ２０２へ戻る。
【０１１０】
ステップ２０６では、ＬＣＤ３０に対して、表示される画像の画像番号が連続し、かつ現在表示されている複数の画像のうちの１つを表示領域から押し出すように、画像番号が現在表示されている複数の画像に連続している次の画像を表示させ、その後にステップ２０２へ戻る。
【０１１１】
ここで、本第２の実施形態に係るデジタルカメラ１０Ｂでは、上記ステップ２０２〜上記ステップ２０６の処理が繰り返し実行されると、上記区分領域の数だけ連続的かつ同時にＬＣＤ３０により表示される。
【０１１２】
すなわち、上記連続的な表示の対象とされている複数の画像の予め定められた表示順序に対応して、上記各区分領域に対し、当該複数の画像を表示する際の表示順位が予め定められており、上記連続的な表示を行う際には、ＣＰＵ３２が、上記表示順序の順に上記表示順位に沿った並び順となるように各区分領域に各画像を連続的に表示するようにＬＣＤ３０を制御する。この結果、各区分領域には、表示対象とされている画像が全体として流れるように表示されることになる。
【０１１３】
なお、本第２の実施形態に係るデジタルカメラ１０Ｂでは、上記ステップ２０６の処理として、ＬＣＤ３０に対して、表示対象とされている画像を、ＬＣＤ３０の表示領域の縦方向及び横方向の各々を等間隔に３分割して設けられた９個の区分領域に、ＬＣＤ３０の表示領域の正面視左上から右下の区分領域にかけて略逆Ｓ字状に画像番号が昇順となるように当該区分領域に画像を１つずつ表示させている。
【０１１４】
例えば、記録メディア４２Ａに画像番号が「１」〜「１００」の画像情報が画像番号「１」の画像情報を先頭にして昇順に記録されており、且つ一覧表示モードが設定されることによりＬＣＤ３０に図１３（ａ）に示すように画像番号「９２」〜「１００」の画像が一覧表示された場合、ユーザが十字カーソルボタン５６Ｄの右方向を示す矢印キーを継続して押下することにより上記ステップ２０２〜上記ステップ２０６の処理が繰り返し実行されると、ＬＣＤ３０の表示態様は、図１３（ａ）→図１３（ｂ）→図１３（ｃ）の順に遷移していく。
【０１１５】
そして、十字カーソルボタン５６Ｄの右方向を示す矢印キーの押下が解除されるまで、ＬＣＤ３０により、画像番号「１」〜「１００」の画像情報により各々示される画像における画像番号が連続する９個の画像が画像番号順で連続的かつ同時に表示される。
【０１１６】
また、本第２の実施形態に係るデジタルカメラ１０Ｂでは、図１３に示すように、ＬＣＤ３０の表示領域の正面視右下の区分領域に選択枠（図１３の一点鎖線）が停止表示されており、実行キー５６Ｆを押下することにより、その時点で当該選択枠で囲まれている画像がＬＣＤ３０の表示領域全体に拡大表示される。
【０１１７】
ステップ２０８では、ＬＣＤ３０に現在表示されている画像を特定するための情報（ここでは、画像番号）を第２メモリ４０に記憶し、次のステップ２１０では、ＬＣＤ３０に対して、上記ステップ２００の処理により読み出された画像情報により各々示される画像を上記区分領域の数単位で当該区分領域のサイズで縮小表示させることにより一覧表示を行わせ、その後にステップ２１２へ移行する。
【０１１８】
なお、本第２の実施形態に係るデジタルカメラ１０Ｂでは、例えば、記録メディア４２Ａに画像番号が「１」〜「１００」の画像情報が記録されており、一覧表示モードにおいてＬＣＤ３０が図１３（ａ）に示すような表示態様のときに上記連続的な表示を停止した場合、上記ステップ２１０の処理として、ＬＣＤ３０に対して、図１４に示すように、画像番号「２０」〜「１００」の画像情報により各々示される画像の上記区分領域の数単位での一覧表示を行わせている。
【０１１９】
なお、図１４に示すＬＣＤ３０の表示領域における数字は画像番号を示しており、当該画像番号は実際には表示されない。
【０１２０】
また、本第２の実施形態に係るデジタルカメラ１０Ｂでは、上記ステップ２１０の処理により画像が一覧表示された場合、各画像が表示される区分領域のうちの何れか１つをユーザにより選択可能とされており、ＬＣＤ３０におけるユーザにより選択された区分領域の位置に選択枠（図１４の一点鎖線）を表示するようにしている。この選択枠は上記第１の実施形態で説明した選択枠と同様の方法で使用することができる。
【０１２１】
ステップ２１２では、所定の指示情報が受け付けられたか否かを判定し、肯定判定となった場合にはステップ２１４へ移行する一方、否定判定となった場合にはステップ２１６へ移行する。
【０１２２】
ステップ２１４では、上記ステップ２１２の処理により受け付けられた指示情報に応じた処理を行い、その後に本第２の実施形態に係る高速コマ送り処理プログラムを終了する。なお、上記ステップ２１４の処理としては、上記第１の実施形態に係る高速コマ送り処理プログラムのステップ１１６で説明した処理と同様の処理が例示できる。
【０１２３】
ステップ２１６では、上記ステップ２１０の処理により一覧表示が行われてから上記第１の実施形態で説明した第２所定時間が経過したか否かを判定し、肯定判定となった場合にはステップ２１８へ移行する一方、否定判定となった場合には上記ステップ２１２へ戻る。
【０１２４】
ステップ２１８では、操作部５６により上記停止指示が受け付けられた時点までＬＣＤ３０の表示状態を戻すように、ＬＣＤ３０に対して、上記ステップ２０８の処理により第２メモリに記憶された画像番号により特定される画像を表示させ、その後に本第２の実施形態に係る高速コマ送り処理プログラムを終了する。
【０１２５】
なお、本第２の実施形態では、上記ステップ２０２が本発明の受付ステップに、上記ステップ２０２〜上記ステップ２０６が本発明の表示ステップに、上記ステップ２１０が本発明の制御ステップに各々相当する。
【０１２６】
以上詳細に説明したように、本第２の実施形態によれば、ＬＣＤ３０が、上記連続的な表示を、表示対象とする画像における複数の画像を予め定められた順序（ここでは、画像番号順）で連続的かつ同時に表示することにより行っているので、より一層迅速に所望の画像を指定することができる。
【０１２７】
以上、本発明を上記各実施形態を用いて説明したが、本発明の技術的範囲は上記各実施形態に記載の範囲には限定されない。発明の主旨を逸脱しない範囲で上記各実施形態に多様な変更または改良を加えることができ、当該変更または改良を加えた形態も本発明の技術的範囲に含まれる。
【０１２８】
また、上記各実施形態は、特許請求の範囲に記載された発明を限定するものではなく、また、上記各実施形態の中で説明されている特徴の組み合わせの全てが発明の解決手段に必須であるとは限らない。上記各実施形態には種々の段階の発明が含まれており、開示される複数の構成要件における状況に応じた組み合わせにより種々の発明を抽出できる。上記各実施形態に示される全構成要件から幾つかの構成要件が削除されても、効果が得られる限りにおいて、この幾つかの構成要件が削除された構成が発明として抽出され得る。
【０１２９】
例えば、上記各実施形態では、一覧表示を行うにあたって、ＬＣＤ３０の表示領域を９分割する場合の形態例を挙げて説明したが、本発明はこれに限定されるものではなく、例えば、ＬＣＤ３０の表示領域を１６分割しても良いし、ＬＣＤ３０の表示領域を２５分割しても良い。このように、一覧表示を行うにあたって、ＬＣＤ３０の表示領域を何分割するかは適宜変更可能である。
【０１３０】
また、上記各実施形態では、十字カーソルボタン５６Ｄの左方向又は右方向を示す矢印キーの予め定められた時間以上の継続した押下を行うことにより上記連続的な表示を開始し、当該押下の解除を行うことにより上記連続的な表示を停止する場合の形態例を挙げて説明したが、本発明はこれに限定されるものではなく、例えば、予め定められた第１の操作キーに対して所定の操作を行うことにより上記連続的な表示を開始し、予め定められた第２の操作キーに対して所定の操作を行うことにより上記連続的な表示を停止する形態としても良い。また、予め定められたプッシュ式ボタンを１回押下することにより上記連続的な表示を開始し、再度当該プッシュ式ボタンを１回押下することにより上記連続的な表示を停止する形態としても良い。このように、上記連続的な表示を開始するための開始指示及び上記連続的な表示を停止するための停止指示の形態は如何なるものであっても良い。
【０１３１】
また、上記各実施形態では、上記連続的な表示の開始に際して、記録メディア４２Ａに記録されている全ての画像情報を読み出してから上記連続的な表示を行う場合の形態例を挙げて説明したが、記録メディア４２Ａから画像情報を１つずつ読み出しながら上記連続的な表示を行うようにしても良い。
【０１３２】
また、上記各実施形態では、画像番号を用いて画像を特定したが、本発明はこれに限定されるものではなく、画像を特定できる情報であればどのようなものであっても良い。
【０１３３】
また、上記各実施形態で説明したデジタルカメラ１０Ａ，１０Ｂの構成（図１、図２及び図１１参照。）は一例であり、本発明の主旨を逸脱しない範囲内において状況に応じて変更可能であることは言うまでもない。
【０１３４】
また、上記各実施形態で説明した各種処理プログラムの処理の流れ（図３及び図１２参照。）も一例であり、本発明の主旨を逸脱しない範囲内において不要なステップを削除したり、新たなステップを追加したり、処理順序を入れ替えたりすることができることは言うまでもない。
【０１３５】
また、上記各実施形態では、本発明をデジタルカメラに適用した場合の形態例を挙げて説明したが、本発明はこれに限定されるものではなく、複数の画像の連続的な表示を行う機能を有するものであれば如何なるものであっても本発明を適用することができることは言うまでもない。
【図面の簡単な説明】
【０１３６】
【図１】第１の実施形態に係るデジタルカメラの外観を示す外観図である。
【図２】第１の実施形態に係るデジタルカメラの電気系の要部構成を示すブロック図である。
【図３】第１の実施形態に係る高速コマ送り処理プログラムの処理の流れを示すフローチャートである。
【図４】第１の実施形態に係るデジタルカメラにおいて連続的な表示を行う場合の時系列順の表示対象画像を示す模式図である。
【図５】第１の実施形態に係るデジタルカメラにおける一覧表示の一例を示す模式図である。
【図６】第１の実施形態に係るデジタルカメラにおいて連続的な表示を行う場合の他の時系列順の表示対象画像を示す模式図である。
【図７】第１の実施形態に係るデジタルカメラにおける一覧表示の他の一例を示す模式図である。
【図８】第１の実施形態に係るデジタルカメラにおける一覧表示の他の一例を示す模式図である。
【図９】第１の実施形態に係るデジタルカメラにおける一覧表示の他の一例を示す模式図である。
【図１０】第１の実施形態に係るデジタルカメラにおける一覧表示の他の一例を示す模式図である。
【図１１】第２の実施形態に係るデジタルカメラの外観を示す外観図である。
【図１２】第２の実施形態に係る高速コマ送り処理プログラムの処理の流れを示すフローチャートである。
【図１３】第２の実施形態に係るデジタルカメラにおける連続的な表示の一例を示す模式図である。
【図１４】第２の実施形態に係るデジタルカメラにおける一覧表示の一例を示す模式図である。
【符号の説明】
【０１３７】
１０Ａ,１０Ｂ  デジタルカメラ
３０  ＬＣＤ（表示手段）
３２  ＣＰＵ（制御手段）
４２Ａ  記録メディア（記憶手段）
５６  操作部（受付手段）
【図１】
0004959498.tif 000002
【図２】
0004959498.tif 000003
【図３】
0004959498.tif 000004
【図４】
0004959498.tif 000005
【図５】
0004959498.tif 000006
【図６】
0004959498.tif 000007
【図７】
0004959498.tif 000008
【図８】
0004959498.tif 000009
【図９】
0004959498.tif 000010
【図１０】
0004959498.tif 000011
【図１１】
0004959498.tif 000012
【図１２】
0004959498.tif 000013
【図１３】
0004959498.tif 000014
【図１４】
0004959498.tif 000015